(57)【要約】【課題】より簡易に布板の移動を規制できる枠組足場用治具を提供すること。【解決手段】縦枠間に複数並設され、前記縦枠間を連結する横枠に係合する端部係合部を有する布板を備えた枠組足場の前記横枠に取り付けられ、前記布板の移動を規制する枠組足場用治具であって、可撓性を有すると共に前記横枠が挿通する筒状体をなし、その周壁に軸方向に横断するスリットを備えたことを特徴とする。【選択図】図１
2009235795.tif 000002
【特許請求の範囲】
【請求項１】
縦枠間に複数並設され、前記縦枠間を連結する横枠に係合する端部係合部を有する布板を備えた枠組足場の前記横枠に取り付けられ、前記布板の移動を規制する枠組足場用治具であって、
可撓性を有すると共に前記横枠が挿通する筒状体をなし、その周壁に軸方向に横断するスリットを備えたことを特徴とする枠組足場用治具。
【発明の詳細な説明】
【技術分野】
【０００１】
本発明は各種の建築工事において仮設される枠組足場に関し、特に、布板の移動を規制する治具に関するものである。
【背景技術】
【０００２】
枠組足場では、縦枠間に複数の布板を並設して足場を形成している。布板はその両端部にフック状の係合部を有しており、この係合部を、縦枠間を連結する横枠に上から引っ掛けるようにして係合することで装着される。布板はそのフック状の係合部にて横枠に上から引っ掛けられているだけであるので、作業者の歩行等の衝撃により横枠の長手方向に移動する場合がある。並設された布板間の隙間が大きいと、作業者が隙間に脚を取られる場合があり、保安上の観点から労働安全衛生法により、布板間の隙間を３０ｍｍ以下とすることが定められている。
【０００３】
特許文献１には、布板の移動を規制し、布板間の隙間を３０ｍｍ以下に維持するため、縦枠間のスペーサに回動可能なストッパを設けたものが開示されている。特許文献２には横枠に割りピンを設けて布板の移動を規制し、布板間の隙間を３０ｍｍ以下に維持するものが開示されている。
【０００４】
【特許文献１】特許第３７３９１２３号公報
【特許文献２】実用新案登録第２５０３２３３号公報
【発明の開示】
【発明が解決しようとする課題】
【０００５】
特許文献１に記載のものでは、回動可能なストッパを備えたスペーサを必要とし、構造が複雑化する。また、セメントノロが回動部に付着して固化すると、ストッパが固着する可能性がある。特許文献２に記載のものでは、横板を取付ける作業に手間がかかる。
【０００６】
本発明の目的は、より簡易に布板の移動を規制できる枠組足場用治具を提供することにある。
【課題を解決するための手段】
【０００７】
本発明によれば、縦枠間に複数並設され、前記縦枠間を連結する横枠に係合する端部係合部を有する布板を備えた枠組足場の前記横枠に取り付けられ、前記布板の移動を規制する枠組足場用治具であって、可撓性を有すると共に前記横枠が挿通する筒状体をなし、その周壁に軸方向に横断するスリットを備えたことを特徴とする枠組足場用治具が提供される。
【０００８】
本発明では、前記筒状体が可撓性を有することから、前記スリットにおいて前記筒状体を開くようにして前記スリットを開口させ、前記横枠に装着する。これが前記布板と前記縦枠との間のスペーサとなって、前記布板の移動を規制でき、布板間の隙間を３０ｍｍ以下に維持することができる。そして、このような枠組足場用治具を用意しておくだけで足りるので、より簡易に布板の移動を規制できる。
【発明の効果】
【０００９】
本発明によれば、より簡易に布板の移動を規制できる枠組足場用治具を提供することができる。
【発明を実施するための最良の形態】
【００１０】
図１（ａ）は本発明の一実施形態に係る治具１００を適用した枠組足場１の説明図である。同図において、Ｙは上下方向（鉛直方向）を示し、Ｘは水平方向を示す。枠組足場１は、Ｘ方向に離間し、Ｙ方向に延びる複数の一対の縦枠１０を備える。一対の縦枠１０はＸ方向及びＹ方向の双方に直交する水平方向に離間して複数組設けられる。枠組足場１は、Ｘ方向に延び、その両端部がそれぞれ縦枠１０に接続され、一対の縦枠１０間を連結する横枠２０を備える。横枠２０は一対の縦枠１０毎に設けられる。また、縦枠１０と横枠２０とには、ブレース４０が接続され、強度補強がなされている。縦枠１０、横枠２０及びブレース４０は鋼管である。
【００１１】
枠組足場１は布板３０を備える。布板３０は一対の縦枠１０間に複数並設されており、本実施形態の場合、幅の異なる２つの布板３０が並設されている。布板３０間の隙間Ｗは労働安全衛生法により３０ｍｍ以下とすることが定められている。布板３０はその長手方向の両端部に、それぞれフック状の端部係合部３１を備えており、端部係合部３１を横枠２０に係合することで、支持される。端部係合部３１と横枠２０との係合は上下方向の係合であるため、布板３０はＸ方向に移動可能であり、作業者が布板３０上を移動することによる衝撃で、布板３０がＸ方向に移動してしまう場合がある。
【００１２】
横枠２０には、治具１００が取り付けられている。図１（ｂ）は図１（ａ）の線Ｉ−Ｉに沿う断面図、図１（ｃ）は図１（ｂ）の線ＩＩ−ＩＩに沿う断面図、図３（ａ）は治具１００の斜視図である。
【００１３】
治具１００は、塩化ビニル等の可撓性を有する材料からなる筒状体をなしている。本実施形態の場合、治具１００は略円筒状である。治具１００の内径は横枠２０が挿通可能なように横枠２０の外径以上に設定される。治具１００は、その周壁にスリット１０３を有しており、その周方向の端部１０４、１０５を有している。スリット１０３は治具１００の軸方向の一方端部１０１から他方端部１０２に渡って形成されており、治具１００を軸方向に横断している。しかして、治具１００はその断面がＣの字型になっている。
【００１４】
図２は治具１００を横枠２０に装着する手順を示す図である。治具１００は、そのスリット１０３を横枠２０に向けて、スリット１０３から治具１００を横枠２０に押し付けるようにして、横枠２０に装着する。治具１００は可撓性を有するので、治具１００を横枠２０に押し付けると、端部１０４、１０５間が開いてスリット１０３が開口するよう、弾性変形し、装着が完了すると元の形状に戻る。取り外すときには、これとは逆に、治具１００を横枠２０から引き抜くようにして取り外し、その際、端部１０４、１０５間を手で開きながら取り外すと、より簡単に取り外せる。こうして治具１００は手で着脱が可能である。
【００１５】
治具１００は図１（ａ）に示すように、縦枠１００と布板３０との間の部分において横枠２０に装着する。すると、治具１００の端部１０１が縦枠１０に、端部１０２が布板３０の端部係合部３１の側面に当接することにより、縦枠１０と布板３０との間のスペーサとなって、同図左の布板３０が同図左方向に移動することを規制する。このように治具１００により、より簡易に布板３０の移動を規制できる。
【００１６】
治具１００の全長（端部１０１、１０２間の長さ）は、一対の縦枠１０間の距離、全ての布板３０を一方の縦枠１０側に片寄せした場合における、他方の縦枠１０と他方の縦枠１０に最も近接する端部係合部３１との間の距離に基づき定めることができる。例えば、前者が８５７ｍｍ、後者が７４０ｍｍの場合、治具１００の全長を、８７ｍｍ以上とすれば、布板３０間の隙間Ｗを３０ｍｍ以下とすることができる。
【００１７】
治具１００の周方向のスリット１０３の幅は、広いほど横枠２０への着脱を行い易くなる一方、脱落の可能性が高くなる。治具１００の周方向のスリット１０３の幅は、角度で言えば、治具１００の周方向の少なくとも１８０度未満の範囲とし、着脱の利便性を考慮すると、６０度〜１２０度の範囲内とすることが望ましい。
【００１８】
なお、治具１００の横枠２０への装着を、より容易にするため、端部１０４、１０５を外方へ曲折するようにしてもよい。また、治具１００の弾性変形を促進して治具１００の横枠２０への装着を、より容易にするため、周壁の一部に変形促進部を設けてもよい。
【００１９】
図３（ｂ）は本発明の他の実施形態に係る治具１１０の断面図である。治具１１０は、治具１００とその断面形状が異なるものであり、可撓性を有する筒状体をなして、その周壁に軸方向に横断するスリット１１３が形成されている。治具１１０の周方向の端部１１４、１１５は外方に曲折しており、治具１１０を横枠２０に押し付けて装着する際、その装着をよりスムーズなものとする。また、治具１１０の周壁の一部には、つづら折状に曲折された変形促進部１１６が形成されており、この変形促進部１１６において、治具１１０が、スリット１１３を開く方向へ弾性変形することが促進され、治具１１０の横枠２０への装着が、より容易になる。
【図面の簡単な説明】
【００２０】
【図１】（ａ）は本発明の一実施形態に係る治具１００を適用した枠組足場１の説明図、（ｂ）は図１（ａ）の線Ｉ−Ｉに沿う断面図、（ｃ）は図１（ｂ）の線ＩＩ−ＩＩに沿う断面図である。
【図２】治具１００を横枠２０に装着する手順を示す図である。
【図３】（ａ）は治具１００の斜視図、（ｂ）は本発明の他の実施形態に係る治具１１０の断面図である。
【符号の説明】
【００２１】
１  枠組足場
１０  縦枠
２０  横枠
３０  布板
３１  端部係合部
１００  治具
１０３  スリット
【図１】
2009235795.tif 000003
【図２】
2009235795.tif 000004
【図３】
2009235795.tif 000005